(57)【要約】【課題】地上ディジタル放送を含む信号が伝送されているＣＡＴＶ伝送路用であって，該伝送路に地上ディジタル放送を伝送するための異なる変調方式に対応する。【解決手段】ＣＡＴＶ伝送路に伝送される信号を受信するＣＡＴＶ端末装置において，当該ＣＡＴＶ端末装置にはトランスモジュレーション方式に対応したフロントエンドと，パススルー方式に対応したフロントエンドとを備え，デフォルトの状態において，トランスモジュレーション方式に対応したフロントエンドを優先させるか，パススルー方式に対応したチューナを優先させるかを予め設定可能として，事前に設定された伝送方式によって優先的に受信動作を行う。【選択図】  図１
2005167737.tif 000002
【特許請求の範囲】
【請求項１】
ＣＡＴＶ伝送路を介してセンター局から送出される信号から所定チャンネルの選局及び復調を行うフロントエンドと，
当該フロントエンドから出力されたデータ信号を復号してベースバンド信号を出力するデータ信号デコーダ部とからなるＣＡＴＶ端末装置において，
当該ＣＡＴＶ端末装置は，センター局から送出される異なる変調方式の信号に対応可能なように少なくとも２つのフロントエンドと，
当該フロントエンドから出力されたデータ信号を入力し，選択的に信号経路を切り替えて出力させる切替部と，
前記フロントエンドが受信した信号に基づいて，前記切替部の信号経路を切り替える制御部と，が備えられ，
前記フロントエンドによって，センター局から送出される伝送周波数帯域をスキャンし，このスキャンによって得られた情報から，前記制御部は前記伝送周波数帯域に伝送されている信号の変調方式を自動的に判定すると共に，その判定結果に基づいて伝送されている信号の変調方式に対応したフロントエンドからのデータ信号を切替部から出力するよう信号経路を制御するように構成したことを特徴としたＣＡＴＶ端末装置。
【請求項２】
上記ＣＡＴＶ端末装置の初期状態におけるフロントエンドの受信動作を，何れのフロントエンドを優先させて行うかを予め設定可能として，事前に設定されたフロントエンドによって優先的に受信動作を行うように構成したことを特徴とした請求項１に記載のＣＡＴＶ端末装置。
【請求項３】
優先的に受信動作させるフロントエンドの設定は，マニュアルでの設定，外部制御装置からの設定の何れかにより設定されるように構成したことを特徴とした請求項２に記載のＣＡＴＶ端末装置
【請求項４】
前記ＣＡＴＶ端末装置は，少なくともトランスモジュレーション方式に対応したフロントエンドと，パススルー方式に対応したフロントエンドと，を備えたことを特徴とした請求項１乃至請求項３に記載のＣＡＴＶ端末装置。
【請求項５】
センター局とＣＡＴＶ伝送線を介して複数の前記請求項１乃至請求項４に記載のＣＡＴＶ端末装置とを接続してサービスを行うことを特徴としたＣＡＴＶシステム。
【発明の詳細な説明】
【技術分野】
【０００１】
本発明は，主にＣＡＴＶに利用されるＣＡＴＶ端末装置に関し，詳しくはＣＡＴＶに伝送される地上ディジタル放送の異なる伝送方式に対応可能とするＣＡＴＶ端末装置に関する。また，このＣＡＴＶ端末装置を用いたＣＡＴＶシステム。
【背景技術】
【０００２】
従来のＣＡＴＶ端末装置，例えばセットトップボックスはアナログ放送を受信できるようにするばかりでなく，放送のディジタル化に伴いＣＡＴＶ網やインターネットを介して双方向のサービスを実現したり，ディジタル放送の受信を可能にしたりするように構成されている。（例えば，特許文献１参照）
【０００３】
【特許文献１】特開２００３−２１９３１２号公報
【発明の開示】
【発明が解決しようとする課題】
【０００４】
しかし，従来のＣＡＴＶ端末装置であるセットトップボックスによると，ディジタル放送は地上ディジタル放送波の変調方式であるＯＦＤＭ（直交周波数分割多重）変調方式が受信できるように構成されている。ところがＣＡＴＶ網を介して地上ディジタル放送を受信しようとする場合このような構成では対応できない場合が生じる。即ちＣＡＴＶ伝送路に地上ディジタル放送波を伝送する方法は大きく分けて２通りあり，ひとつはＯＦＤＭ方式の地上波ディジタル放送波をセンター局で受信して，そのままの変調方式でＣＡＴＶ伝送路に伝送する方式（パススルー方式）と，ふたつ目として，ＯＦＤＭ方式の地上波ディジタル放送波をセンター局で受信して，ＢＳディジタル放送の再送信と同じ６４ＱＡＭ方式に変換してＣＡＴＶ伝送路に伝送する方式（トランスモジュレーション方式）があり，何れの伝送方式を採用するかはＣＡＴＶ事業者によって異なることから，ＣＡＴＶに対応させるためには上記各変調方式に対応したセットトップボックスを用意する必要がある。
即ち，ＣＡＴＶに対応させるためには少なくとも２機種のセットトップボックスが必要となることから，生産工程の煩雑さや，部品点数が多くなることによる部品管理等の生産性の問題点が発生するばかりでなく，延いてはこれらによってセットトップボックスのコストアップとなるといった問題が有った。
そこで本願においては，こうした問題点を解決するためになされたものであり，
その目的は，ＣＡＴＶ伝送路を介して伝送される，異なる伝送方式に対応可能なＣＡＴＶ端末装置を提供することにある。
他の目的は，デフォルトの状態で優先的に受信動作させる伝送方式を予め設定可能にしたＣＡＴＶ端末装置に関する。
他の目的は，地上ディジタル放送波が伝送されているＣＡＴＶにおいて，地上波ディジタル放送をＣＡＴＶに伝送するための複数の伝送方式に対応したＣＡＴＶ端末装置を提供することにある。
他の目的は，ＣＡＴＶ伝送路に伝送されている地上波ディジタル放送の変調方式を判定して，変調方式に応じて自動的に切り替えて受信することができるＣＡＴＶ端末装置を提供することにある。
他の目的は，ＣＡＴＶ伝送路に伝送されている地上波ディジタル放送の変調方式に対応できるよう，予め指定の変調方式受信するように初期状態を設定可能としたＣＡＴＶ端末装置を提供することにある。
他の目的は，ＣＡＴＶ伝送路に伝送されている地上波ディジタル放送の変調方式に対応できるよう，予め初期状態における受信動作を指定の変調方式に対応するようにマニュアル操作若しくは遠隔操作によって設定可能としたＣＡＴＶ端末装置を提供することにある。
他の目的は，センター局とＣＡＴＶ伝送路を介して異なる伝送方式に対応可能な複数のＣＡＴＶ端末装置との間でサービスを行うＣＡＴＶシステムを提供することにある。
【課題を解決するための手段】
【０００５】
上記課題を解決するために，請求項１の発明は，ＣＡＴＶ伝送路を介してセンター局から送出される信号から所定チャンネルの選局及び復調を行うフロントエンドと，当該フロントエンドから出力されたデータ信号を復号してベースバンド信号を出力するデータ信号デコーダ部とからなるＣＡＴＶ端末装置において，当該ＣＡＴＶ端末装置は，センター局から送出される異なる変調方式の信号に対応可能なように少なくとも２つのフロントエンドと，当該フロントエンドから出力されたデータ信号を入力し，選択的に信号経路を切り替えて出力させる切替部と，前記フロントエンドが受信した信号に基づいて，前記切替部の信号経路を切り替える制御部と，が備えられ，前記フロントエンドによって，センター局から送出される伝送周波数帯域をスキャンし，このスキャンによって得られた情報から，前記制御部は前記伝送周波数帯域に伝送されている信号の変調方式を自動的に判定すると共に，その判定結果に基づいて伝送されている信号の変調方式に対応したフロントエンドからのデータ信号を切替部から出力するよう信号経路を制御するように構成される。
【０００６】
請求項２の発明は，上記ＣＡＴＶ端末装置の初期状態におけるフロントエンドの受信動作を，何れのフロントエンドを優先させて行うかを予め設定可能として，事前に設定されたフロントエンドによって優先的に受信動作を行うように構成される。
【０００７】
請求項３の発明は，優先的に受信動作させるフロントエンドの設定は，マニュアルでの設定，外部制御装置からの設定の何れかにより設定されるように構成される。
【０００８】
請求項４の発明は，前記ＣＡＴＶ端末装置は，少なくともトランスモジュレーション方式に対応したフロントエンドと，パススルー方式に対応したフロントエンドと，を備えるように構成される。。
【０００９】
請求項５の発明は，センター局とＣＡＴＶ伝送線を介して複数の前記請求項１乃至請求項４に記載のＣＡＴＶ端末装置とを接続してサービスを行うように構成される。
【発明の効果】
【００１０】
以上詳述したように，請求項１の発明によれば，ＣＡＴＶ伝送路を介してセンター局から送出される信号から所定チャンネルの選局及び復調を行うフロントエンドと，当該フロントエンドから出力されたデータ信号を復号してベースバンド信号を出力するデータ信号デコーダ部とからなるＣＡＴＶ端末装置において，当該ＣＡＴＶ端末装置は，センター局から送出される異なる変調方式の信号に対応可能なように少なくとも２つのフロントエンドと，当該フロントエンドから出力されたデータ信号を入力し，選択的に信号経路を切り替えて出力させる切替部と，前記フロントエンドが受信した信号に基づいて，前記切替部の信号経路を切り替える制御部と，が備えられ，前記フロントエンドによって，センター局から送出される伝送周波数帯域をスキャンし，このスキャンによって得られた情報から，前記制御部は前記伝送周波数帯域に伝送されている信号の変調方式を自動的に判定すると共に，その判定結果に基づいて伝送されている信号の変調方式に対応したフロントエンドからのデータ信号を切替部から出力するよう信号経路を制御するように構成したので，上述のようにＣＡＴＶ事業者毎に，地上波ディジタル放送の伝送方式が異なっても１つのＣＡＴＶ端末装置を準備するだけで何れの伝送方式に対応可能となり，生産コストの低減が可能になる。
【００１１】
請求項２の発明によれば，上記ＣＡＴＶ端末装置の初期状態におけるフロントエンドの受信動作を，何れのフロントエンドを優先させて行うかを予め設定可能として，事前に設定されたフロントエンドによって優先的に受信動作を行うように構成したので，例えば，このＣＡＴＶ端末装置が取り付けられるＣＡＴＶ施設における地上波ディジタル放送の伝送方式が予め分かっておれば，この伝送方式に対応させるよう，出荷の時点で予めデフォルトの設定をしておくことによって，このＣＡＴＶ端末装置は余分なスキャンをする必要がなくなり，短時間に内にテレビ受信機に映像等を表示させることができ，加入者にとって取り扱い性の良いＣＡＴＶ端末装置を提供できるのである。
【００１２】
請求項３の発明によれば，優先的に受信動作させるフロントエンドの設定は，マニュアルでの設定，外部制御装置からの設定の何れかにより設定されるように構成したので，例えば，このＣＡＴＶ端末装置が取り付けられるＣＡＴＶ施設における地上波ディジタル放送の伝送方式が分かっておれば，この伝送方式に対応させるよう，出荷の時点で予めデフォルトの設定がマニュアル操作でできる。更に，この設定をパーソナルコンピューター等により外部から設定すれば，生産ラインにおける生産効率の良いＣＡＴＶ端末装置を提供できる。また複数の方法でもってデフォルトの状態を設定可能としたことで，取り付け場所や出荷後の状況等の条件に応じてどこでもデフォルトの設定が可能となり，汎用性においても利便性においても優れたＣＡＴＶ端末装置を提供することができる。
【００１３】
請求項４の発明によれば，前記ＣＡＴＶ端末装置は，少なくともトランスモジュレーション方式に対応したフロントエンドと，パススルー方式に対応したフロントエンドと，を備えるように構成されているので，センター局から送出される信号に地上ディジタル信号が，ＱＡＭ変調されたトランスモジュレーション方式で伝送されていても，ＯＦＤＭ変調されたパススルー方式で伝送されていても，何れの伝送方式にも対応できるＣＡＴＶ端末装置を提供することができる。。
【００１４】
請求項５の発明によれば，センター局とＣＡＴＶ伝送線を介して複数の前記請求項１乃至請求項４に記載のＣＡＴＶ端末装置とを接続してサービスを行うように構成したので，オペレーターがセンター局から地上ディジタル放送のサービスを行うための変調方式はトランスモジュレーションでもパススルー方式でも，どちらの伝送方式を用いても対応できるＣＡＴＶシステムを容易に提供できる。
【発明を実施するための最良の形態】
【００１５】
以下に，本発明を具体化した実施形態の例を，図面を基に詳細に説明する。
図１は本発明に係るＣＡＴＶ端末装置の構成を示す。図２は本発明に係るＣＡＴＶ端末装置の他の実施例を示す。図３は本発明に係るＣＡＴＶ端末装置の受信処理の動作状態を示すフローチャートを示す。図４は本願のＣＡＴＶ端末装置を用いたＣＡＴＶシステム例を示す。
【実施例１】
【００１６】
本願に示すＣＡＴＶ端末装置は，ＣＡＴＶ伝送路を介して双方向サービスを行う事ができるものであるが，図１にはＣＡＴＶ端末装置の代表例としてセットトップボックスの実施例を示し，以下特に記載しない限りセットトップボックスを用いて説明する。図１は本発明に関する部分を特に示したものであり，一般的に付加される機能については記載していない。
図１において，少なくとも地上波ディジタル放送の信号を含むディジタル信号は，ＣＡＴＶ伝送路を介して入力端子Ｔｉｎから入力される。入力されたディジタル信号は分配器２によって３に示すＱＡＭ変調方式のチューナ／復調部（以下，フロントエンドとも言う。），４に示すＯＦＤＭ変調方式のチューナ／復調部(以下，フロントエンドとも言う。）等に接続されている。
【００１７】
３はＣＡＴＶ伝送路に伝送されているディジタル信号の中から，ＱＡＭ変調（Ｑｕａｄｒａｔｕｒｅ  Ａｍｐｌｉｔｕｄｅ  Ｍｏｄｕｌａａｔｉｏｎ：直交振幅変調。以下ＱＡＭ変調と記載する。）されたディジタル信号を受信して，当該受信信号から所定の信号を選局すると共に復調して，ＴＳ（Ｔｒａｎｓｐｏｒｔ  Ｓｔｒｅａｍ）信号（以下，ＴＳ信号と記載する。）を出力するように構成されたＱＡＭ変調方式に対応したフロントエンドである。
このＱＡＭ変調方式のフロントエンド３において生成されたＴＳ信号は切替部７に出力される。
【００１８】
４はＣＡＴＶ伝送路に伝送されている信号の中から，ＯＦＤＭ変調（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重。以下，ＯＦＤＭ変調と記載する。）されたディジタル信号を受信して，当該受信信号から所定の信号を選局すると共に復調して，ＴＳ信号を出力するように構成されたＯＦＤＭ変調方式に対応したフロントエンドである。
このＯＦＤＭ変調方式のフロントエンド４において生成されたＴＳ信号は切替部７に出力される。
【００１９】
前記切替部７はＯＦＤＭ変調方式に対応したフロントエンド４若しくはＱＡＭ変調方式に対応したフロントエンド３から出力されたＴＳ信号の経路を切り替えるための切替部であり，この切替制御は１５に示す制御部で行われる。
この切替部７から出力されたＴＳ信号は，５に示すＣＡ（Ｃｏｎｄｉｔｉｏｎａｌ  Ａｃｃｅｓｓ）デスクランブラに入力される。
このＣＡデスクランブラ５はＣＡＴＶ伝送路に伝送される信号の内，例えば有料放送や著作権保護された信号を受信するような場合において，ＩＣカードなどのＣＡモジュール５ａを挿入することで映像信号及び音声信号がデスクランブルされて，受信可能となるように構成されている。
このＣＡデスクランブラ５でデスクランブルされたＴＳ信号は，１０に示すＭＰＥＧ−２デコーダ部において復号され，映像出力端子Ｖｏｕｔ，音声出力端子Ａｏｕｔ等から出力される。
【００２０】
１５は制御部であって，前記ＱＡＭ変調方式用のフロントエンド３若しくはＯＦＤＭ変調方式用のフロントエンド４から出力される信号の中から，ＣＡＴＶ伝送路に伝送されている地上波ディジタル信号の変調方式がＱＡＭ変調かＯＦＤＭ変調かを判定するための制御部である。また，この判定の結果によってＣＡデスクランブラ５に入力されるＴＳ信号を，ＱＡＭ変調のフロントエンドから受け入れるか，ＯＦＤＭ変調のフロントエンドから受け入れるかの経路を切り替えるための切替部７の制御を行う。また，この制御部１５では，ＣＡデスクランブラ５に入力された信号の内，有料放送や著作権保護された放送などを受信するかどうかをＩＣカードなどのＣＡモジュール５ａを介して制御する。
【００２１】
更に，制御部１５では，前記ＱＡＭ変調方式用のフロントエンド３若しくはＯＦＤＭ変調方式用のフロントエンド４の動作する順番を制御することもできる。
一例として，セットトップボックスの電源をＯＮにしたときのデフォルト状態において，特に優先するフロントエンドを決めずに夫々が受信帯域をスキャンし，所定変調方式の信号を受信したフロントエンドからの信号によって，前記切替部７を介して，前記ＣＡデスクランブラに入力されるＴＳ信号経路を自動的に切り替えるように制御しても良い。
【００２２】
また，セットトップボックスの電源をＯＮにしたときのデフォルト状態において，特に優先するフロントエンドを予め設定できるように制御部１５によって制御するようにしても良い。つまり，デフォルト状態では前記ＱＡＭ変調方式用のフロントエンド３が先にスキャンするように優先設定を行うか，前記ＯＦＤＭ変調用のフロントエンド４が先にスキャンするように優先設定を予め設定しておいて，そのスキャンの結果（例えばＱＡＭ変調方式による地上ディジタル放送を検出しなかった場合。）に基づいて，次の変調方式（この場合，ＯＦＤＭ変調方式用のフロントエンド４による）のスキャンを行うように制御する方法である。
【００２３】
更に加えて，優先するフロントエンドを何時でも何処でも設定可能なように構成しても良い。つまり，例えば図１のＴ１に示すキー入力によって優先するフロントエンドをＱＡＭ変調方式にするか，ＯＦＤＭ変調方式にするかを制御できるようにしても良いし，リモコンによって設定できるようにしても良い。また，Ｔ２に示すイーサネット（Ｒ）コネクターを介して外部に備えたパソコン等によって優先するフロントエンドをＱＡＭ変調方式にするか，ＯＦＤＭ変調方式にするかを制御部１５によって制御できるようにしても良い。
【００２４】
６はメモリーであり，センター局から送出される信号から前述のフロントエンドによって選局・復調して得られるＴＳ信号に含まれるＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を復号したものやスキャンした後の周波数テーブル情報を保存するメモリ−である。
２０は電源部であり，本願の実施例では図示されていないスイッチによって，セットトップボックスの電源をＯＮにしたり，スタンバイにしたり，ＯＦＦにしたりできるようになっている。制御部１５はこのスイッチの状態を判定するように構成されている。
尚，セットトップボックスにケーブルモデムを備えさせて，ＣＡＴＶ網やインターネットを介しての双方向サービスを行うように構成してもよい。
【００２５】
図４はこのセットトップボックスを用いたＣＡＴＶシステムを示す。この図において衛星からの信号や地上波ディジタル放送等の信号は，アンテナ５０，５１で受信され分配器５２，５４を介してそれぞれ複数のチューナー５３，５４に入力される。チューナーの出力は変調器５８でＣＡＴＶ伝送路に適した信号に変調されてから混合器５９を介してＣＡＴＶ伝送路７０に送出される。
セットトップボックス（ＳＴＢ）管理装置６０，ケーブルモデム管理装置６１，メールサーバー６２等はスイッチング（ＳＷ）ハブを介して複数のＣＭＴＳ６５と接続され，このＣＭＴＳ６５は混合器６６，５９を介してセンター局１００からＣＡＴＶ伝送路７０を介してセットトップボックス１と接続されている。８０はパーソナルコンピュータ，８１はテレビ受像機である。
【００２６】
ここで，フロントエンドの切り替えについて詳しく説明する。ＣＡＴＶ網を介して地上ディジタル放送を伝送しようとする場合，伝送する方法は大きく分けて２通りあり，ひとつはＯＦＤＭ方式の地上波ディジタル放送波をセンター局で受信して，そのままの変調方式でＣＡＴＶ伝送路に伝送する方式（パススルー方式）と，ふたつ目として，ＯＦＤＭ方式の地上波ディジタル放送波をセンター局で受信して，ＢＳディジタル放送等の再送信と同じ６４ＱＡＭ変調方式に変換してＣＡＴＶ伝送路に伝送する方式（トランスモジュレーション方式）があり，何れの伝送方式を採用するかはＣＡＴＶ事業者によって異なる。
【００２７】
トランスモジュレーション方式は，上述のようにＣＡＴＶを利用してＢＳディジタル放送等の信号を６４ＱＡＭ変調方式で伝送するオペレーターにとって，変調方式が同じであることから採用し易い面もあるが，電波障害対策用のＣＡＴＶでは，地上ディジタル放送をＣＡＴＶ伝送路を介して伝送する場合は，ＯＦＤＭ変調方式（即ち，パススルー方式）のみを受信可能とし，例えＱＡＭ変調された地上ディジタル放送の信号が伝送されていたとしても，地上波ディジタル放送のＱＡＭ変調は受信できないようにする必要がある。
そこで，本願のセットトップボックスにおいては，ＱＡＭ変調方式対応のフロントエンド３と，ＯＦＤＭ変調方式対応のフロントエンド４とを備えさせ，このＱＡＭ変調方式用のフロントエンド３若しくはＯＦＤＭ変調方式用のフロントエンド４から出力される信号の中から，ＣＡＴＶ伝送路に伝送されている地上波ディジタル信号の変調方式がＱＡＭ変調方式であっても，ＯＦＤＭ変調方式であっても対応できるように構成したものである。
【００２８】
尚，フロントエンドの対応の仕方として，自動的に変調方式を判定することで切り替えるようにしても良い。この場合はこのセットトップボックスをセットするＣＡＴＶ施設が採用する変調方式に係わらず設置可能となる。
また，フロントエンドの対応の仕方における異なる方法として，デフォルトの状態において優先的に動作させるフロントエンドを予め設定しておいても良い。この場合は，本願のセットトップボックスがセットされる施設が採用する地上ディジタル放送の伝送方式に対応するよう予め優先的に動作するフロントエンドが設定されることから，電源をＯＮにしてから受信するまでの時間が短くできるといったメリットが生じる。
更に，優先的に動作するフロントエンドをマニュアル操作（例えば，リモコンによる設定，パネルからのキー入力による設定等。），外部からの制御（例えば，パソコン等。）によって変更可能にしても良い。このように構成することで，取り付け場所や出荷後の状況等の条件に応じて何時でも何処でもデフォルトの設定が可能となり，汎用性においても利便性においても優れたセットトップボックスを提供できるのである。
図２には，フロントエンドと分配器を１つの筐体に収納した場合のセットトップボックスの構成例を示した。
【００２９】
図３に示すフローチャートに基づいてフロントエンドの切替処理について説明する。このフローチャートはデフォルトにおける優先設定を予め設定したときのものである。
ステップ１００において，ＱＡＭ変調方式のフロントエンド３が優先設定されているか，ＯＦＤＭ変調方式用のフロントエンド４が優先設定されているかを判定する。ＱＡＭ変調方式のフロントエンド３に優先設定されているのなら，先に当該フロントエンド３でもってＣＡＴＶ伝送帯域をスキャンする（Ｓ１０１）。
次に，Ｓ１０２において地上ディジタル放送を受信しているかどうかを判定（例えば，地上ディジタル放送の伝送信号に含まれたネットワークＩＤの有無を検出する。）し，ＱＡＭ変調方式で地上ディジタル放送が伝送されていると判定（例えば，地上ディジタル放送のネットワークＩＤが復調された場合。）したのなら，Ｓ１０３においてＱＡＭ変調方式のフロントエンド３を受信用として設定し，切替部７を切り替えることによりＣＡデスクランブラ５の入力経路を前記フロントエンド３からの経路に切り替える。
もし，Ｓ１０２においてＱＡＭ変調方式で地上ディジタル放送が伝送されていないと判定（例えば，地上ディジタル放送の伝送信号に含まれたネットワークＩＤが復調されなかった場合。）したのなら，次にＳ１０４においてＯＦＤＭ変調方式のフロントエンド４で受信帯域をスキャンする。Ｓ１０５においてＯＦＤＭ変調方式の地上ディジタル放送が伝送されていると判定したのなら，Ｓ１０６においてＯＦＤＭ変調方式のフロントエンド４を受信用として設定し，切替部７を切り替えることによりＣＡデスクランブラ５の入力経路を前記フロントエンド４からの経路に切り替える。
【００３０】
次にＳ１００において，ＯＦＤＭ変調方式のフロントエンド４が優先設定されているのなら，Ｓ１０４に進んでＯＦＤＭ変調方式のフロントエンド４で受信帯域をスキャンする。Ｓ１０５においてＯＦＤＭ変調方式の地上ディジタル放送が伝送されていると判定したのなら，Ｓ１０６においてＯＦＤＭ変調方式のフロントエンド４を受信用として設定し，切替部７を切り替えることによりＣＡデスクランブラ５の入力経路を前記フロントエンド４からの経路に切り替える。
また，Ｓ１０５においてＯＦＤＭ変調方式の地上ディジタル放送が伝送されていないと判定したのなら，地上ディジタル放送は伝送されていないと判定して処理を終了する。
【００３１】
このように，デフォルトの状態において優先的に動作させるフロントエンドを予め設定しておくように構成することにより，本願のセットトップボックスがセットされるＣＡＴＶ施設が採用する地上ディジタル放送の伝送方式に対応するようフロントエンドが優先的に動作することから，電源をＯＮにしてから受信するまでの時間が短くできるといったメリットが生じるのである。
尚，本発明は上記実施の形態に限定されるものではなく，伝送されている変調方式に対応したフロントエンドを自動的に選択するようにしても良いし，取り付け場所や出荷後の状況等の条件に応じて何時でも何処でもデフォルトの変更が可能としても良い。また，本願の実施例ではフロントエンドを２つ備えさせた例を示したが，２つのフロントエンドと分配器を１つの筐体に収容するように構成しても良く，本発明の趣旨を逸脱しない範囲で各部の構成等を適宜に変更して実施することも可能である。
【図面の簡単な説明】
【００３２】
【図１】本発明に係るセットトップボックスの構成を示す。
【図２】本発明に係るセットトップボックスの他の実施例の構成を示す。
【図３】本発明に係るセットトップボックスの動作状態を示すフローチャートを示す。
【図４】本発明に係るセットトップボックス４を用いたＣＡＴＶシステムの実施例を示す。
【符号の説明】
【００３３】
１…セットトップボックス，２…分配器，３…ＱＡＭ変調方式のチューナ／復調部（フロントエンド），４…ＯＦＤＭ変調方式のチューナ／復調部（フロントエンド），５…ＣＡデスクランブラ，５ａ…ＣＡモジューラ，６…メモリー，７…切替部，１０…ＭＰＥＧ―２デコーダ部，１５…制御部，１８…表示部，１９…イーサネット（Ｒ）インターフェス，２０…電源部，５０，５１…受信アンテナ，５２，５４…分配器，５３，５６…チューナー，５８…変調器，５９，６６…混合器，６０…セットトップボックス，６１…ケーブルモデム管理装置，６２…メールサーバー等，６３…スイッチングハブ，６４…ルーター，６５…ＣＭＴＳ，７０…ＣＡＴＶ伝送路，８０…パーソナルコンピュータ，８１…テレビ受像機
【図１】
2005167737.tif 000003
【図２】
2005167737.tif 000004
【図３】
2005167737.tif 000005
【図４】
2005167737.tif 000006